【手続補正書】
【提出日】平成20年4月17日(2008.4.17)
【手続補正１】
【補正対象書類名】特許請求の範囲
【補正対象項目名】全文
【補正方法】変更
【補正の内容】
【特許請求の範囲】
【請求項１】
第１無線通信装置及び第２無線通信装置との間で無線により通信を行う通信システムであって、
前記第１無線通信装置により前記第２無線通信装置の機器情報を取得させる取得手段と、
無線通信用の設定情報を、前記第２無線通信装置の機器情報に対応付けて記憶する記憶手段と、
前記記憶手段に記憶された前記設定情報に従って、前記第１無線通信装置と前記第２無線通信装置との間で無線による通信を実行するための無線通信手段と、
前記取得手段により取得した機器情報に対応して前記記憶手段に記憶されている設定情報を更新又は消去するように指示する指示手段と、
を有することを特徴とする通信システム。
【請求項２】
無線通信装置間で無線により通信を行う通信システムであって、
第２の通信方式による無線通信用の設定情報を無線通信装置の機器情報に対応付けて記憶する記憶手段と、
前記記憶手段に無線通信の相手先の設定情報が記憶されていない場合、第１の通信方式により前記相手先の無線通信装置の設定情報を要求する要求手段と、
前記要求手段による要求に応答して、前記相手先から送信される前記設定情報を前記記憶手段に記憶する記憶制御手段と、
前記記憶手段に記憶した前記設定情報に従って、前記相手先の無線通信装置との間で前記第２の通信方式による無線通信を実行する無線通信手段と、
前記相手先の機器情報を、前記第１の通信方式により前記相手先から取得する取得手段と、
前記取得手段により取得した機器情報に対応付けて前記記憶手段に記憶された設定情報を更新又は消去するように指示する指示手段と、
を有することを特徴とする通信システム。
【請求項３】
無線通信装置間で無線により通信を行う無線通信装置であって、
他の無線通信装置の機器情報に対応付けて無線通信用の設定情報を記憶する記憶手段と、
前記他の無線通信装置の機器情報を、前記他の無線通信装置から取得する取得手段と、
前記取得手段により取得した機器情報に対応付けて前記記憶手段に記憶されている設定情報を更新又は消去するように指示する指示手段と、
を有することを特徴とする無線通信装置。
【請求項４】
前記取得手段は、第１の通信方式により通信相手の機器情報を取得し、
前記無線通信用の設定情報は、第２の通信方式による無線通信を行うための情報であることを特徴とする請求項３に記載の無線通信装置。
【請求項５】
前記取得手段により取得した機器情報に対応する設定情報が前記記憶手段に記憶されていない場合に、前記他の無線通信装置に前記設定情報を要求する要求手段を更に有することを特徴とする請求項３又は４に記載の無線通信装置。
【請求項６】
前記第１の通信方式は、Near Field Communicationに準拠した方式、赤外線通信、Bluetooth、またはUltra Wide Bandのいずれかであり、
前記第２の通信方式は、ＩＥＥＥ８０２．１１系規格に準拠した方式であることを特徴とする請求項４に記載の無線通信装置。
【請求項７】
無線通信装置において、
第１の方式による無線通信により取得した通信相手の識別情報に基づいて、前記通信相手と第２の方式により無線通信するための設定情報を記憶しているか否かを判別する判別手段と、
前記判別手段による判別に応じた表示を行う表示手段とを有し、
前記表示手段は、前記通信相手に対応する設定情報の消去指示、前記通信相手との前記第２の方式による無線通信指示、又は前記通信相手と前記第２の方式により無線通信するための設定情報の更新指示の少なくともいずれかを選択可能に表示することを特徴とする無線通信装置。
【請求項８】
第１無線通信装置及び第２無線通信装置との間で無線により通信を行う通信システムにおける無線通信設定方法であって、
前記第１無線通信装置により前記第２無線通信装置の機器情報を取得させる取得工程と、
無線通信用の設定情報を、前記第２無線通信装置の機器情報に対応付けてメモリに記憶する記憶工程と、
前記メモリに記憶された前記設定情報に従って、前記第１無線通信装置と前記第２無線通信装置との間で無線による通信を実行する無線通信工程と、
前記取得工程において取得した機器情報に対応して前記メモリに記憶されている設定情報を更新又は消去するように指示する指示工程と、
を有することを特徴とする通信システムにおける無線通信設定方法。
【請求項９】
無線通信装置間で無線により通信を行う無線通信装置における無線通信設定方法であって、
第２の通信方式による無線通信用の設定情報を無線通信装置の機器情報に対応付けて記憶するメモリに、無線通信の相手先の設定情報が記憶されていない場合、第１の通信方式により前記相手先の無線通信装置の設定情報を要求する要求工程と、
前記要求工程での要求に応答して、前記相手先から送信される前記設定情報を前記メモリに記憶する記憶制御工程と、
前記メモリに記憶した前記設定情報に従って、前記相手先の無線通信装置との間で前記第２の通信方式による無線通信を実行する無線通信工程と、
前記相手先の機器情報を、前記第１の通信方式により前記相手先から取得する取得工程と、
前記取得工程において取得した機器情報に対応付けて前記メモリに記憶された設定情報を更新又は消去するように指示する指示工程と、
を有することを特徴とする無線通信装置における無線通信設定方法。
【請求項１０】
無線通信装置の制御方法であって、
他の無線通信装置の機器情報を、前記他の無線通信装置から取得する取得工程と、
前記取得手段により取得した機器情報に対応付けてメモリに記憶されている無線通信用の設定情報を、更新又は消去するように指示する指示工程と、
を有することを特徴とする制御方法。
【請求項１１】
無線通信装置の制御方法であって、
第１の方式による無線通信により取得した通信相手の識別情報に基づいて、前記通信相手と第２の方式により無線通信するための設定情報を記憶しているか否かを判別する判別工程と、
前記判別工程における判別に応じた表示を行うための表示工程と、
を有し、
前記表示工程では、前記通信相手に対応する設定情報の消去指示、前記通信相手との前記第２の方式による無線通信指示、又は前記通信相手と前記第２の方式により無線通信するための設定情報の更新指示の少なくともいずれかを選択可能に表示することを特徴とする制御方法。
【請求項１２】
請求項８又は９記載の無線通信設定方法をコンピュータに実行させるためのプログラム。
【請求項１３】
請求項１０又は１１記載の制御方法をコンピュータに実行させるためのプログラム。
【手続補正２】
【補正対象書類名】明細書
【補正対象項目名】発明の名称
【補正方法】変更
【補正の内容】
【発明の名称】通信システム、無線通信装置およびその制御方法、無線通信設定方法、並びに、プログラム
【手続補正３】
【補正対象書類名】明細書
【補正対象項目名】０００１
【補正方法】変更
【補正の内容】
【０００１】
本発明は、通信システム、無線通信装置およびその制御方法、無線通信設定方法、並びに、プログラムに関するものである。
【手続補正４】
【補正対象書類名】明細書
【補正対象項目名】０００６
【補正方法】変更
【補正の内容】
【０００６】
上記目的の少なくとも１つを達成するため、本発明の通信システムは以下の構成を備える。すなわち、第１無線通信装置及び第２無線通信装置との間で無線により通信を行う通信システムにおいて、前記第１無線通信装置により前記第２無線通信装置の機器情報を取得させる取得手段と、無線通信用の設定情報を、前記第２無線通信装置の機器情報に対応付けて記憶する記憶手段と、前記記憶手段に記憶された前記設定情報に従って、前記第１無線通信装置と前記第２無線通信装置との間で無線による通信を実行するための無線通信手段と、前記取得手段により取得した機器情報に対応して前記記憶手段に記憶されている設定情報を更新又は消去するように指示する指示手段と、を有する。
または、無線通信装置間で無線により通信を行う通信システムにおいて、第２の通信方式による無線通信用の設定情報を無線通信装置の機器情報に対応付けて記憶する記憶手段と、前記記憶手段に無線通信の相手先の設定情報が記憶されていない場合、第１の通信方式により前記相手先の無線通信装置の設定情報を要求する要求手段と、前記要求手段による要求に応答して、前記相手先から送信される前記設定情報を前記記憶手段に記憶する記憶制御手段と、前記記憶手段に記憶した前記設定情報に従って、前記相手先の無線通信装置との間で前記第２の通信方式による無線通信を実行する無線通信手段と、前記相手先の機器情報を、前記第１の通信方式により前記相手先から取得する取得手段と、前記取得手段により取得した機器情報に対応付けて前記記憶手段に記憶された設定情報を更新又は消去するように指示する指示手段と、を有する。
【手続補正５】
【補正対象書類名】明細書
【補正対象項目名】０００７
【補正方法】変更
【補正の内容】
【０００７】
上記目的の少なくとも１つを達成するため、本発明の無線通信装置は以下の構成を備える。すなわち、無線通信装置間で無線により通信を行う無線通信装置において、他の無線通信装置の機器情報に対応付けて無線通信用の設定情報を記憶する記憶手段と、前記他の無線通信装置の機器情報を、前記他の無線通信装置から取得する取得手段と、前記取得手段により取得した機器情報に対応付けて前記記憶手段に記憶されている設定情報を更新又は消去するように指示する指示手段と、を有する。
または、無線通信装置において、第１の方式による無線通信により取得した通信相手の識別情報に基づいて、前記通信相手と第２の方式により無線通信するための設定情報を記憶しているか否かを判別する判別手段と、前記判別手段による判別に応じた表示を行う表示手段とを有し、前記表示手段は、前記通信相手に対応する設定情報の消去指示、前記通信相手との前記第２の方式による無線通信指示、又は前記通信相手と前記第２の方式により無線通信するための設定情報の更新指示の少なくともいずれかを選択可能に表示する。
【手続補正６】
【補正対象書類名】明細書
【補正対象項目名】０００８
【補正方法】変更
【補正の内容】
【０００８】
上記目的の少なくとも１つを達成するため、本発明の通信システムにおける無線通信設定方法は以下の構成を備える。すなわち、第１無線通信装置及び第２無線通信装置との間で無線により通信を行う通信システムにおける無線通信設定方法であって、前記第１無線通信装置により前記第２無線通信装置の機器情報を取得させる取得工程と、無線通信用の設定情報を、前記第２無線通信装置の機器情報に対応付けてメモリに記憶する記憶工程と、前記メモリに記憶された前記設定情報に従って、前記第１無線通信装置と前記第２無線通信装置との間で無線による通信を実行する無線通信工程と、前記取得工程において取得した機器情報に対応して前記メモリに記憶されている設定情報を更新又は消去するように指示する指示工程と、を有する。
または、無線通信装置間で無線により通信を行う無線通信装置における無線通信設定方法において、第２の通信方式による無線通信用の設定情報を無線通信装置の機器情報に対応付けて記憶するメモリに、無線通信の相手先の設定情報が記憶されていない場合、第１の通信方式により前記相手先の無線通信装置の設定情報を要求する要求工程と、前記要求工程での要求に応答して、前記相手先から送信される前記設定情報を前記メモリに記憶する記憶制御工程と、前記メモリに記憶した前記設定情報に従って、前記相手先の無線通信装置との間で前記第２の通信方式による無線通信を実行する無線通信工程と、前記相手先の機器情報を、前記第１の通信方式により前記相手先から取得する取得工程と、前記取得工程において取得した機器情報に対応付けて前記メモリに記憶された設定情報を更新又は消去するように指示する指示工程と、を有する。
【手続補正７】
【補正対象書類名】明細書
【補正対象項目名】０００９
【補正方法】変更
【補正の内容】
【０００９】
上記目的の少なくとも１つを達成するため、本発明の無線通信装置の制御方法は以下の構成を備える。すなわち、無線通信装置の制御方法において、他の無線通信装置の機器情報を、前記他の無線通信装置から取得する取得工程と、前記取得手段により取得した機器情報に対応付けてメモリに記憶されている無線通信用の設定情報を、更新又は消去するように指示する指示工程と、を有する。
または、無線通信装置の制御方法において、第１の方式による無線通信により取得した通信相手の識別情報に基づいて、前記通信相手と第２の方式により無線通信するための設定情報を記憶しているか否かを判別する判別工程と、前記判別工程における判別に応じた表示を行うための表示工程と、を有し、前記表示工程では、前記通信相手に対応する設定情報の消去指示、前記通信相手との前記第２の方式による無線通信指示、又は前記通信相手と前記第２の方式により無線通信するための設定情報の更新指示の少なくともいずれかを選択可能に表示する。
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】